(57)【要約】【課題】  設備コストを抑えつつ、表示装置を利用するユーザに対して、所望の情報を簡単に配信すること。【解決手段】  表示装置と情報発信装置とからなる広告提供システムであって、情報発信装置は、表示装置に対して発信すべき広告情報を規定する規定情報を取得する規定情報取得部と、規定情報にしたがって、表示装置に対して広告情報を発信する広告情報発信部とを備え、表示装置は、広告情報発信部により発信された広告情報を受信する広告情報受信部と、広告情報受信部により受信した広告情報を表示する表示部とを備える。【選択図】      図１
2007199615.tif 000002
【特許請求の範囲】
【請求項１】
表示装置と情報発信装置とからなる広告提供システムであって、
前記情報発信装置は、
前記表示装置に対して発信すべき広告情報を規定する規定情報を取得する規定情報取得部と、
前記規定情報にしたがって、前記表示装置に対して前記広告情報を発信する広告情報発信部とを備え、
前記表示装置は、
前記広告情報発信部により発信された前記広告情報を受信する広告情報受信部と、
前記広告情報受信部により受信した前記広告情報を表示する表示部とを備える
ことを特徴とする広告提供システム。
【請求項２】
請求項１に記載の広告提供システムにおいて、
前記規定情報取得部は、前記規定情報として、前記表示装置の位置を示す情報を取得し、
前記広告情報発信部は、前記表示装置の位置を示す情報にしたがって、前記表示装置に対して前記広告情報を発信する
ことを特徴とする広告提供システム。
【請求項３】
請求項１に記載の広告提供システムにおいて、
前記広告情報発信部は、地域に関する情報を含む前記規定情報を基に前記広告情報を発信する
ことを特徴とする広告提供システム。
【請求項４】
請求項１に記載の広告提供システムにおいて、
前記規定情報取得部は、時刻に関する情報と、前記表示装置のユーザの目的に対応する広告情報の種類と、前記ユーザの属性を示す情報と、前記表示装置の個体情報との少なくとも１つを含む前記規定情報を取得する
ことを特徴とする広告提供システム。
【請求項５】
請求項１に記載の広告提供システムにおいて、
検索条件を取得する検索条件取得部と、
前記検索条件にしたがって、複数の広告情報のうち、前記情報発信装置から前記表示装置に対して発信すべき広告情報を検索する検索部と、
前記検索部による検索結果を基に前記発信すべき広告情報を規定する第２の規定情報を、前記表示装置に対して発信する検索結果発信部とを備えた検索装置をさらに備え、
前記表示装置は、
前記検索結果発信部により発信された前記第２の規定情報を受信する検索結果受信部と、
前記第２の規定情報を、前記規定情報として、前記情報発信装置に対して発信する規定情報発信部とをさらに備える
ことを特徴とする広告提供システム。
【請求項６】
請求項５に記載の広告提供システムにおいて、
前記検索装置は、
前記表示装置の使用予定位置を取得する位置情報取得部をさらに備え、
前記検索部は、前記検索条件と前記表示装置の使用予定位置とにしたがって、前記広告情報を検索する
ことを特徴とする広告提供システム。
【請求項７】
請求項５に記載の広告提供システムにおいて、
前記表示装置は、
前記表示装置の位置を示す情報を取得する位置情報取得部をさらに備え、
前記規定情報発信部は、取得された前記第２の規定情報のうち、前記表示装置の位置を示す情報にしたがって選択した情報を、前記規定情報として前記情報発信装置に対して発信する
ことを特徴とする広告提供システム。
【請求項８】
請求項１に記載の広告提供システムにおいて、
前記ユーザの属性を示す情報と、前記表示装置の個体情報と、検索条件とを予め関連付けして取得する取得部と、
所定の表示装置から発信された前記表示装置の個体情報と前記取得部に有する前記表示装置の個体情報とが適合するか否かを判定する判定部と、
前記判定部により適合すると判定した場合に、前記表示装置の個体情報と関連付けられた前記ユーザの属性を示す情報と前記検索条件との少なくとも一方を、前記規定情報として前記情報発信装置に対して発信する規定情報発信部とを備えた管理装置をさらに備え、
前記広告情報発信部は、前記規定情報にしたがって、複数の広告情報のうち、前記情報発信装置から前記表示装置に対して発信すべき広告情報を検索し、検索結果にしたがって、前記表示装置に対して前記広告情報を発信する
ことを特徴とする広告提供システム。
【請求項９】
請求項８に記載の広告提供システムにおいて、
前記情報発信装置は、
前記表示装置の位置を示す情報を取得する位置情報取得部をさらに備え、
前記広告情報発信部は、前記規定情報と前記表示装置の位置を示す情報とにしたがって、前記情報発信装置から前記表示装置に対して発信すべき広告情報を検索する
ことを特徴とする広告提供システム。
【請求項１０】
請求項１に記載の広告提供システムにおいて、
前記表示部は、所定の画像と前記広告情報を示す画像とを同時または切り替えて表示する
ことを特徴とする広告提供システム。
【請求項１１】
請求項１に記載の広告提供システムにおいて、
前記表示部は、前記広告情報の時刻に関する属性にしたがって、その広告画像を表示するタイミングを決定する
ことを特徴とする広告提供システム。
【請求項１２】
請求項１に記載の広告提供システムにおいて、
前記表示部は、前記広告情報に設定された地域に関する属性にしたがって、その広告画像を表示するタイミングを決定する
ことを特徴とする広告提供システム。
【請求項１３】
請求項１に記載の広告提供システムにおいて、
前記表示装置は、
ユーザ操作を受け付ける受付部をさらに備え、
前記表示部は、前記ユーザ操作にしたがって、前記広告画像を表示するタイミングを決定する
ことを特徴とする広告提供システム。
【請求項１４】
請求項１に記載の広告提供システムにおいて、
表示情報管理装置をさらに備え、
前記表示装置は、前記広告情報を前記表示部に表示した回数と、前記広告情報を前記表示部に表示した場所と、前記広告情報を前記表示部に表示した時刻との少なくとの１つを含む表示情報を記憶する記憶部と、
前記記憶部に記憶した前記表示情報を、前記表示情報管理装置に対して発信する表示情報発信部とをさらに備える
ことを特徴とする広告提供システム。
【発明の詳細な説明】
【技術分野】
【０００１】
本発明は、表示装置と情報発信装置とからなる広告提供システムに関する。
【背景技術】
【０００２】
近年、表示素子の小型化などにより、小型で携帯可能なＨＭＤ（Ｈｅａｄ  Ｍｏｕｎｔ  Ｄｉｓｐｌａｙ）などの表示装置が考えられている。特許文献１の発明では、放送局から放送される広告を現実空間と対応させてＨＭＤの表示面上に正しく表示させる方法が提案されている。
【特許文献１】特開２００５−１７３０４２号公報
【発明の開示】
【発明が解決しようとする課題】
【０００３】
しかし、上述した特許文献１の発明では、放送局を利用するために大がかりな設備が必要である。また、短時間で大容量の情報を受信するために、ＨＭＤなどの表示装置にも相応の処理能力が必要となる。
本発明の広告提供システムは、設備コストを抑えつつ、表示装置を利用するユーザに対して、所望の情報を簡単に配信することを目的とする。
【課題を解決するための手段】
【０００４】
本発明の広告提供システムは、表示装置と情報発信装置とからなる広告提供システムであって、前記情報発信装置は、前記表示装置に対して発信すべき広告情報を規定する規定情報を取得する規定情報取得部と、前記規定情報にしたがって、前記表示装置に対して前記広告情報を発信する広告情報発信部とを備え、前記表示装置は、前記広告情報発信部により発信された前記広告情報を受信する広告情報受信部と、前記広告情報受信部により受信した前記広告情報を表示する表示部とを備える。
【０００５】
なお、好ましくは、前記規定情報取得部は、前記規定情報として、前記表示装置の位置を示す情報を取得し、前記広告情報発信部は、前記表示装置の位置を示す情報にしたがって、前記表示装置に対して前記広告情報を発信しても良い。
また、好ましくは、前記広告情報発信部は、地域に関する情報を含む前記規定情報を基に前記広告情報を発信しても良い。
【０００６】
また、好ましくは、前記規定情報取得部は、時刻に関する情報と、前記表示装置のユーザの目的に対応する広告情報の種類と、前記ユーザの属性を示す情報と、前記表示装置の個体情報との少なくとも１つを含む前記規定情報を取得しても良い。
また、好ましくは、検索条件を取得する検索条件取得部と、前記検索条件にしたがって、複数の広告情報のうち、前記情報発信装置から前記表示装置に対して発信すべき広告情報を検索する検索部と、前記検索部による検索結果を基に前記発信すべき広告情報を規定する第２の規定情報を、前記表示装置に対して発信する検索結果発信部とを備えた検索装置をさらに備え、前記表示装置は、前記検索結果発信部により発信された前記第２の規定情報を受信する検索結果受信部と、前記第２の規定情報を、前記規定情報として、前記情報発信装置に対して発信する規定情報発信部とをさらに備えても良い。
【０００７】
また、好ましくは、前記検索装置は、前記表示装置の使用予定位置を取得する位置情報取得部をさらに備え、前記検索部は、前記検索条件と前記表示装置の使用予定位置とにしたがって、前記広告情報を検索しても良い。
また、好ましくは、前記表示装置は、前記表示装置の位置を示す情報を取得する位置情報取得部をさらに備え、前記規定情報発信部は、取得された前記第２の規定情報のうち、前記表示装置の位置を示す情報にしたがって選択した情報を、前記規定情報として前記情報発信装置に対して発信しても良い。
【０００８】
また、好ましくは、前記ユーザの属性を示す情報と、前記表示装置の個体情報と、検索条件とを予め関連付けして取得する取得部と、所定の表示装置から発信された前記表示装置の個体情報と前記取得部に有する前記表示装置の個体情報とが適合するか否かを判定する判定部と、前記判定部により適合すると判定した場合に、前記表示装置の個体情報と関連付けられた前記ユーザの属性を示す情報と前記検索条件との少なくとも一方を、前記規定情報として前記情報発信装置に対して発信する規定情報発信部とを備えた管理装置をさらに備え、前記広告情報発信部は、前記規定情報にしたがって、複数の広告情報のうち、前記情報発信装置から前記表示装置に対して発信すべき広告情報を検索し、検索結果にしたがって、前記表示装置に対して前記広告情報を発信しても良い。
【０００９】
また、好ましくは、前記情報発信装置は、前記表示装置の位置を示す情報を取得する位置情報取得部をさらに備え、前記広告情報発信部は、前記規定情報と前記表示装置の位置を示す情報とにしたがって、前記情報発信装置から前記表示装置に対して発信すべき広告情報を検索しても良い。
また、好ましくは、前記表示部は、所定の画像と前記広告情報を示す画像とを同時または切り替えて表示しても良い。
【００１０】
また、好ましくは、前記表示部は、前記広告情報の時刻に関する属性にしたがって、その広告画像を表示するタイミングを決定しても良い。
また、好ましくは、前記表示部は、前記広告情報に設定された地域に関する属性にしたがって、その広告画像を表示するタイミングを決定しても良い。
また、好ましくは、前記表示装置は、ユーザ操作を受け付ける受付部をさらに備え、前記表示部は、前記ユーザ操作にしたがって、前記広告画像を表示するタイミングを決定しても良い。
【００１１】
また、好ましくは、表示情報管理装置をさらに備え、前記表示装置は、前記広告情報を前記表示部に表示した回数と、前記広告情報を前記表示部に表示した場所と、前記広告情報を前記表示部に表示した時刻との少なくとの１つを含む表示情報を記憶する記憶部と、前記記憶部に記憶した前記表示情報を、前記表示情報管理装置に対して発信する表示情報発信部とをさらに備えても良い。
【発明の効果】
【００１２】
本発明の広告提供システムによれば、設備コストを抑えつつ、表示装置を利用するユーザに対して、所望の情報を簡単に配信することができる。
【発明を実施するための最良の形態】
【００１３】
＜第１実施形態＞
以下、図面に基づいて本発明の第１実施形態について説明する。
図１は、ＨＭＤ１００の外観図である。ＨＭＤ１００は、図１に示すように本体１０１とリモートコントローラ１０２とから構成される。本体１０１とリモートコントローラ１０２とは、ケーブル１０３により接続される。なお、ケーブル１０３に代えて、無線で本体１０１とリモートコントローラ１０２とを接続する構成でも良い。
【００１４】
本体１０１は、通信部１１０、スピーカ１１１、表示部１１２を備える。表示部１１２は、透過型ＬＣＤや有機ＥＬディスプレイなどの不図示の画像表示素子と画像表示素子の映像を拡大してユーザの眼に投影する不図示の光学系とを備える。なお、画像表示素子として、反射型ＬＣＤや、自発光型の素子を２次元的に配列したものなどの画像表示素子を用いても良い。
【００１５】
リモートコントローラ１０２は、図１に示すように、前面に電源ボタン、十字ボタン、メニューボタンなどの操作部１２０を備えるとともに、上面に通信部１２１を備える。
図２は、ＨＭＤ１００の機能ブロック図である。
本体１０１は、表示部１１２の表示を制御する表示制御部１１３、ケーブルなどを介してコンピュータなどの外部機器と接続する接続部１１４、ＨＭＤ１００の位置を示す情報を取得するＧＰＳ（Ｇｌｏｂａｌ  Ｐｏｓｉｔｉｏｎｉｎｇ  Ｓｙｓｔｅｍ）１１５、情報発信装置から発信される情報を無線で受信する情報受信部１１６（詳細は後述する）、情報受信部１１６を介して受信した情報を記憶する記憶部１１７の各部を備えるとともに、各部を制御する制御部１１８を備える。
【００１６】
制御部１１８は、通信部１１０、表示制御部１１３、接続部１１４、情報受信部１１６、記憶部１１７の各部と相互に接続される。また、制御部１１８の出力はスピーカ１１１
接続される。また、表示制御部１１３の出力は表示部１１２に接続される。また、制御部１１８は、ＧＰＳ１１５からＨＭＤ１００の位置を示す情報を取得する。
制御部１１８は、通信部１１０および通信部１２１を介してリモートコントローラ１０２から送られる指示にしたがって、スピーカ１１１に対する音声の再生や、表示部１１２に対する画像の表示を行う。
【００１７】
リモートコントローラ１０２は、各部を制御する制御部１２２を備える。制御部１２２は、操作部１２０の状態を検知するとともに、通信部１２１と交互に接続される。
図３は、本発明に関する広告提供システムの全体図である。第１実施形態の広告提供システムは、上述したＨＭＤ１００と、コンピュータ１０と、情報発信装置である広告画像サーバ２０とからなる。
【００１８】
ＨＭＤ１００は、接続部１１４および不図示のケーブルを介してコンピュータ１０と相互に接続される。また、広告画像サーバ２０は、インターネットを介してコンピュータ１０と相互に接続される。
次に、図３の広告提供システム全体図を用いて、ＨＭＤ１００の制御部１１８の動作を説明する。
【００１９】
ユーザは、まず、自宅などで広告情報の取得を行う。広告情報とは、広告画像サーバ２０に予め用意された情報であり、広告主により用意されたものである。広告情報には、動画像や静止画像などの画像データ、文字データ、音声データなどが含まれる。また、広告情報は、時刻に関する属性や広告情報に設定された地域に関する属性などの関連する属性情報毎に関連付けがされている。広告情報の取得は、ＨＭＤ１００をインターネットに接続したコンピュータ１０と接続して行う。
【００２０】
ステップＳ１において、制御部１１８は、広告絞り込み情報を入力する。
広告絞り込み情報とは、広告画像サーバ２０に予め用意された広告情報のうち、ＨＭＤ１００に対して発信すべき広告情報を規定する情報である。広告絞り込み情報には、地域に関する情報、時刻に関する情報、ユーザの目的に関する情報、ユーザの属性を示す情報、ＨＭＤ１００の個体情報などが含まれる。コンピュータ１０には、それぞれの情報毎に所定の基本メニューが予め定められているものとする。なお、広告画像サーバ２０に基本メニューを設置しても良い。
【００２１】
例えば、ユーザの目的に対応する広告情報の種類は、カテゴリー分類などを用いて階層的に設定するのが好ましい。ユーザは、例えば、娯楽（音楽、映画など）、ショッピング（百貨店やスーパーの催し物、売り出し、広告など）、交通（電車の運行情報、乗り換え情報など）、ニュース（天気情報など）、地域情報（道案内、名所案内など）、製品情報（成分情報、類似製品の情報など）などの基本メニューから、所望の広告情報の種類を設定すれば良い。
【００２２】
なお、広告絞り込み情報の入力は、ＨＭＤ１００の操作部１２０を介して行っても良いし、コンピュータ１０の不図示の操作部を介して行っても良い。
ステップＳ２において、広告絞り込み情報の入力をＨＭＤ１００を用いて行った場合、制御部１１８は、広告絞り込み情報をコンピュータ１０を介して広告画像サーバ２０に発信する。なお、広告画像サーバ２０に基本メニューによる広告絞り込み情報を入力してある場合には、このステップをスキップする。
【００２３】
ステップＳ３において、制御部１１８は、広告情報をコンピュータ１０を介して広告画像サーバ２０から受信する。
広告画像サーバ２０は、ステップＳ２においてＨＭＤ１００から発信された広告絞り込み情報にしたがって、同じ属性を持つ広告情報を検索し、コンピュータ１０を介してＨＭＤ１００に対して発信する。なお、検索の際に、ＧＰＳ１１５により取得したＨＭＤ１００の位置を示す情報を加味しても良い。ＨＭＤ１００の位置を示す情報を加味することにより、ユーザの居所などユーザの行動範囲に適合した広告情報を検索することができる。ＨＭＤ１００の制御部１１８は、接続部１１４を介してこの広告情報を受信する。
【００２４】
ステップＳ４において、制御部１１８は、受信した広告情報を記憶部１１７に記憶する。
以上説明した広告情報の取得を終了した後に、ユーザが外出先などにおいてＨＭＤ１００を使用する場合のＨＭＤ１００の制御部１１８の動作を説明する。なお、ここでは、ユーザが外出先などにおいてＨＭＤ１００を使用して映画などを鑑賞中に広告情報を表示する方法について説明する。
【００２５】
制御部１１８は、記憶部１１７に記憶した広告情報のうち、適当な広告情報を選択し、表示制御部１１３を介して、表示部１１２に表示する。なお、制御部１１８は、ＧＰＳ１１５により取得したＨＭＤ１００の位置を示す情報や現在の時刻などに基づいて、広告情報に対応づけられた属性を基に選択する。例えば、ＨＭＤ１００の位置を示す情報に基づいて、現在ユーザが存在する地域に属する広告情報を選択しても良い。また、現在時刻に基づいて、食事の時間帯であればレストランなどに関する広告情報を選択したり、映画の開始時間などの広告情報を選択しても良い。
【００２６】
さらに、ＨＭＤ１００の操作部１２０を介したユーザ操作により、広告情報の選択や表示タイミングの指定などを行う構成としても良い。
なお、表示部１１２が映画などの鑑賞に用いられている場合、制御部１１８は、広告情報を示す画像を鑑賞中の画像と同時または切り替えて表示する。図４に同時に表示する場合の表示例を示す。制御部１１８は、例えば、図４に示すように、鑑賞中の画像に広告情報を示す画像（ｉ１）を重畳して表示する。このとき、画像の鑑賞を中断させないために、広告情報を示す画像（ｉ１）は、鑑賞中の画像中に小さなウィンドウなどを設けて表示するのが好ましい。
【００２７】
さらに、図５Ａに示すように、鑑賞中の画像と広告情報を示す画像（ｉ２）とを並列して表示しても良い。また、図５Ｂに示すように、鑑賞中の画像の一部にウィンドウを設け、ウィンドウ内に広告情報を示す画像（ｉ３）を移動させながらテロップのように表示しても良い。また、図５Ｃに示すように、広告情報を示す画像（ｉ４）の背景を透過にし、鑑賞中の画像に重畳して表示しても良い。
【００２８】
また、広告情報を示す画像を常に表示したり、表示したままにしておくと、本来の鑑賞を妨げることになるので、一定時間のみといった短時間での表示が好ましい。この表示の際に、表示位置を一定ではなく画面内をスクロールするように移動しても良い。このように移動することにより、背景の影響などにより本来の鑑賞が一時的に難しくなった場合などに、意識を引き戻す効果が期待できる。また、広告情報を示す画像を表示する際に、鑑賞中の画像を一時停止する構成としても良い。
【００２９】
また、急に広告情報を示す画像を表示することにより、ユーザが驚いたり違和感を感じるのを防ぐため、音声情報や画像アイコンなどを用いて広告情報を示す画像を表示することを予告する構成としても良い。また、広告情報を示す画像が徐々に濃く表示されるようにしても良い。さらに、広告情報が存在することを示すアイコンなどを表示し、ユーザによる実行指示が行われた後に具体的な画像を表示しても良い。
【００３０】
なお、ユーザがＨＭＤ１００を使用して映画などを鑑賞していない場合にも広告情報を表示しても良い。
以上説明したように、第１実施形態の表示装置と情報発信装置とからなる広告提供システムによれば、情報発信装置は、表示装置に対して発信すべき広告情報を規定する規定情報を取得し、取得した規定情報にしたがって、表示装置に対して広告情報を発信する。また、表示装置は、情報発信装置により発信された広告情報を受信し、受信した広告情報を表示する。
【００３１】
そのため、放送局を利用するなどの大がかりな設備は不要である。また、表示装置は、ユーザが所望する広告情報のみを受信するため、従来技術のように短時間で大容量の情報を受信可能なほどの処理能力も不要である。したがって、設備コストを抑えつつ、表示装置を利用するユーザに対して、所望の情報を簡単に配信することができる。
また、第１実施形態の広告提供システムによれば、情報発信装置は、表示装置の位置を示す情報を取得し、上述した規定情報と取得した表示装置の位置を示す情報とにしたがって、表示装置に対して広告情報を発信する。したがって、ユーザの居所などユーザの行動範囲に適合した広告情報を配信することができる。
【００３２】
また、第１実施形態の広告提供システムによれば、地域に関する情報を基に前記広告情報を発信する。したがって、ユーザが表示装置を使用する予定の地域における広告情報を予め取り込むことができる。そのため、ユーザの欲求に応じた広告情報を配信することが可能となり、広告の効果向上が期待できる。
また、第１実施形態の広告提供システムによれば、時刻に関する情報と、表示装置のユーザの目的に対応する広告情報の種類と、ユーザの属性を示す情報と、表示装置の個体情報とを含む規定情報を取得する。したがって、ユーザの要望に適合する広告情報のみを配信することができる。そのため、携帯用ディスプレイのように記憶容量を十分持ち合わせない機器にも、無駄なくユーザの欲求に応じた広告情報を配信することが可能となり、広告の効果向上が期待できる。
【００３３】
また、第１実施形態の広告提供システムによれば、所定の画像と広告情報を示す画像とを同時または切り替えて表示する。したがって、ユーザが表示装置を使用して映画などを鑑賞している最中であっても、鑑賞を継続しつつ、広告情報を表示することができる。
また、第１実施形態の広告提供システムによれば、広告情報の時刻に関する属性にしたがって、その広告画像を表示するタイミングを決定する。したがって、その広告情報がユーザにとって有用であるタイミングで広告情報を表示することができる。
【００３４】
また、第１実施形態の広告提供システムによれば、広告情報に設定された地域に関する属性にしたがって、その広告画像を表示するタイミングを決定する。したがって、その広告情報に設定された地域にユーザが存在する場合にのみ広告情報を表示することができる。
また、第１実施形態の広告提供システムによれば、ユーザ操作を受け付ける受付部をさらに備え、ユーザ操作にしたがって、広告画像を表示するタイミングを決定する。したがって、ユーザの所望のタイミングで広告情報を表示することができる。
【００３５】
なお、第１実施形態では、予め記憶した広告情報のみを利用する例について説明したが、外出先などで、適宜新たな広告情報を取得する構成としても良い。
＜第２実施形態＞
以下、図面に基づいて本発明の第２実施形態について説明する。
第２実施形態では、第１実施形態のＨＭＤ１００と略同様の構成を備えたＨＭＤを例に挙げて説明する。なお、第２実施形態のＨＭＤは、第１実施形態のＨＭＤ１００の情報受信部１１６に情報送信機能を備える。以下では、第２実施形態のＨＭＤの図示を省略し、第１実施形態と同様の符号を用いて説明する。
【００３６】
図６および図７は、広告提供システムの全体図である。第２実施形態の広告提供システムは、ＨＭＤ１００と、コンピュータ１０と、情報発信装置である広告画像サーバ２０と、アクセスポイント２１と、検索装置である広告情報サーバ３０とからなる。アクセスポイント２１は、ネットワークと接続可能な場所であり、具体的には駅や店舗などである。なお、広告画像サーバ２０は、第１実施形態と同様に、広告情報を予め用意している。
【００３７】
ＨＭＤ１００は、接続部１１４および不図示のケーブルを介してコンピュータ１０と相互に接続される。また、ＨＭＤ１００は、情報受信部１１６を介してアクセスポイント２１と相互に接続される。また、広告画像サーバ２０は、インターネットを介してアクセスポイント２１と相互に接続される。また、広告情報サーバ３０は、インターネットを介してコンピュータ１０と相互に接続される。
【００３８】
次に、図６および図７の広告提供システム全体図を用いて、ＨＭＤ１００の制御部１１８の動作を説明する。
ユーザは、まず、自宅などで広告取得ポインタ情報の取得を行う。広告取得ポインタ情報とは、広告情報そのものではなく、取得する予定の広告情報を特定するための符号と、広告情報を取得する予定の店舗などの位置情報、広告情報を取得する予定のアクセスポイントの位置情報、目的の広告情報を取得する際のアクセス方法に関する情報などである。広告取得ポインタ情報の取得は、ＨＭＤ１００をインターネットに接続したコンピュータ１０と接続して行う。この広告取得ポインタ情報は、ユーザが所望する広告情報よりも小さいデータサイズからなるものである。
【００３９】
ステップＳ１１において、制御部１１８は、第１実施形態のステップＳ１と同様に、広告絞り込み情報を入力する。なお、広告絞り込み情報の入力は、ＨＭＤ１００の操作部１２０を介して行っても良いし、コンピュータ１０の不図示の操作部を介して行っても良い。
ステップＳ１２において、制御部１１８は、広告絞り込み情報をコンピュータ１０を介して広告情報サーバ３０に発信する。
【００４０】
ステップＳ１３において、制御部１１８は、広告取得ポインタ情報をコンピュータ１０を介して広告情報サーバ３０から受信する。
広告情報サーバ３０は、ステップＳ１２においてＨＭＤ１００から発信された広告絞り込み情報にしたがって、ユーザの所望する広告情報を検索し、検索結果を広告取得ポインタ情報として、コンピュータ１０を介してＨＭＤ１００に対して発信する。ＨＭＤ１００とともに行動する位置を示す情報を加味することにより、ユーザの居所などユーザの行動範囲に適合した広告情報を検索することができる。制御部１１８は、接続部１１４を介してこの広告取得ポインタ情報を受信する。
【００４１】
ステップＳ１４において、制御部１１８は、受信した広告取得ポインタ情報を記憶部１１７に記憶する。
以上説明した広告取得ポインタ情報の取得を終了した後に、ユーザが外出先などにおいてＨＭＤ１００を使用する場合のＨＭＤ１００の制御部１１８の動作を説明する。なお、ここでは、ユーザが外出先などにおいてＨＭＤ１００を使用して映画などを鑑賞中に広告情報を表示する方法について説明する。
【００４２】
ステップＳ２１において、制御部１１８は、取得した広告取得ポインタ情報に含まれる位置情報やアクセス方法と合致したかどうかを検出し、合致したものがあれば、該当広告取得ポインタ情報をアクセスポイント２１を介して広告画像サーバ２０に発信する。なお、広告ポインタ情報の発信は、その広告ポインタ情報に含まれるアクセスポイントに入った時点で実行する。広告ポインタ情報に含まれるアクセスポイントに入ったかどうかは、ＧＰＳ１１５により取得したＨＭＤ１００の位置を示す情報に基づいて判別できる。このように、広告ポインタ情報を限定することにより、ユーザの外出先に合わせた広告情報の取得に適した広告ポインタ情報を発信することができる。
【００４３】
ステップＳ２２において、制御部１１８は、広告情報をアクセスポイント２１を介して広告画像サーバ２０から受信する。
広告画像サーバ２０は、ステップＳ２１においてＨＭＤ１００から発信された広告取得ポインタ情報にしたがって、広告情報を、アクセスポイント２１を介してＨＭＤ１００に対して発信する。制御部１１８は、接続部１１４を介してこの広告情報を受信する。
【００４４】
ステップＳ２３において、制御部１１８は、受信した広告情報を示す画像を、表示制御部１１３を介して、表示部１１２に表示する。なお、表示の具体的な方法については第１実施形態と同様である。
また、ステップＳ２３において、受信した広告情報を示す画像を表示部１１２に表示せずに、記憶部１１７に記憶しておき、適当なタイミングで表示する構成としても良い。
【００４５】
以上説明したように、第２実施形態の広告提供システムによれば、検索条件を取得し、取得した検索条件にしたがって、複数の広告情報のうち、情報発信装置から表示装置に対して発信すべき広告情報を検索するとともに検索結果を基に前記発信すべき広告情報を規定する第２の規定情報を、表示装置に対して発信する検索装置をさらに備える。そして、表示装置は、検索装置により発信された第２の規定情報を受信し、第２の規定情報を、規定情報として、情報発信装置に対して発信する。したがって、広告情報そのものを表示装置内に記憶しておかなくても、表示装置を利用するユーザに対して、所望の情報を簡単に配信することができる。また、広告情報そのものを表示装置内に記憶する場合でも、規定された範囲の情報のみ記憶すれば良いため、記憶量を削減することができる。また、表示装置に広告情報を表示する際に広告情報を配信するので、常に最新の広告情報を配信することができる。
【００４６】
また、第２実施形態の広告提供システムによれば、検索装置は、表示装置の使用予定位置を取得し、上述した検索条件と取得した表示装置の使用予定位置とにしたがって、広告情報を検索する。したがって、ユーザの居所などユーザの行動範囲に適合した広告情報を検索することができる。
また、第２実施形態の広告提供システムによれば、表示装置は、表示装置の位置を示す情報を取得し、取得された前記第２の規定情報のうち、表示装置の位置を示す情報にしたがって選択した情報を、規定情報として情報発信装置に対して発信する。そのため、ユーザの外出先に合わせた広告情報の取得に適した規定情報を発信することができる。したがって、ユーザの居所などユーザの行動範囲に適合した広告情報を配信することができる。
【００４７】
なお、第２実施形態では、ＨＭＤ１００は、アクセスポイント２１を介して広告画像サーバ２０と接続される例を示したが、ＨＭＤ１００が、広告画像サーバ２０と直接接続される構成であっても良い。
＜第３実施形態＞
以下、図面に基づいて本発明の第３実施形態について説明する。
【００４８】
第３実施形態では、第１実施形態のＨＭＤ１００と略同様の構成を備えたＨＭＤを例に挙げて説明する。なお、第３実施形態のＨＭＤは、第１実施形態のＨＭＤ１００の情報受信部１１６に情報送信機能を備える。以下では、第３実施形態のＨＭＤの図示を省略し、第１実施形態と同様の符号を用いて説明する。
図８から図１０は、広告提供システムの全体図である。第３実施形態の広告提供システムは、ＨＭＤ１００と、コンピュータ１０と、情報発信装置である広告画像サーバ２０と、アクセスポイント２２と、ユーザの個人情報などを管理する管理装置である個人情報管理サーバ４０と、表示情報などを管理する管理装置である表示情報管理サーバ５０とからなる。アクセスポイント２２は、ネットワークと接続可能な場所であり、具体的には駅や店舗などである。なお、広告画像サーバ２０は、第１実施形態と同様に、広告情報を予め用意している。
【００４９】
ＨＭＤ１００は、接続部１１４および不図示のケーブルを介してコンピュータ１０と相互に接続される。また、ＨＭＤ１００は、情報受信部１１６を介してアクセスポイント２２と相互に接続される。また、広告画像サーバ２０は、インターネットを介してアクセスポイント２２と相互に接続される。また、個人情報管理サーバ４０は、インターネットを介してコンピュータ１０、アクセスポイント２２、広告画像サーバ２０と相互に接続される。また、表示情報管理サーバ５０は、インターネットを介してコンピュータ１０と相互に接続される。
【００５０】
次に、図８から図１０の広告提供システム全体図を用いて、ＨＭＤ１００の制御部１１８の動作を説明する。
ユーザは、まず、自宅などで広告絞り込み情報の入力を行う。広告絞り込み情報は、第１実施形態で説明したものと同様である。なお、第３実施形態では、広告絞り込み情報は、ユーザの個人情報を必ず含む。広告絞り込み情報の入力は、ＨＭＤ１００をインターネットに接続したコンピュータ１０と接続して行う。
【００５１】
ステップＳ３１において、制御部１１８は、第１実施形態のステップＳ１と同様に、広告絞り込み情報を入力する。なお、広告絞り込み情報の入力は、ＨＭＤ１００の操作部１２０を介して行っても良いし、コンピュータ１０の不図示の操作部を介して行っても良い。
ステップＳ３２において、制御部１１８は、広告絞り込み情報および表示装置の個体情報をコンピュータ１０を介して個人情報管理サーバ４０に発信する。
【００５２】
個人情報管理サーバ４０は、ユーザの個人情報を含む広告絞り込み情報を受信し、不図示の記憶部に一旦記憶する。なお、このときに、個人情報管理サーバ４０は、表示装置の個体情報を受信し、広告絞り込み情報と関連付けた状態で記憶する。
以上説明した広告絞り込み情報の入力を終了した後に、ユーザが外出先などにおいてＨＭＤ１００を使用する場合の広告提供システムの動作を説明する。なお、ここでは、ユーザが外出先などにおいてＨＭＤ１００を使用して映画などを鑑賞中に広告情報を表示する方法について説明する。
【００５３】
ステップＳ４１において、ＨＭＤ１００の制御部１１８は、表示装置の個体情報を含むユーザの個人情報をアクセスポイント２２を介して個人情報管理サーバ４０に発信する。なお、ユーザの個人情報の発信は、任意のアクセスポイントと通信接続が確立した時点で実行する。なお、ユーザの個人情報の発信のタイミングを、ＨＭＤ１００の操作部１２０を介したユーザ操作により指定する構成としても良い。
【００５４】
ステップＳ４２において、個人情報管理サーバ４０は、予め記憶した表示装置の個体情報と、ステップＳ４１においてＨＭＤ１００から発信された表示装置の個体情報とが適合するか否かを判定する。そして、適合すると判定するとステップＳ４３に進む。適合しないと判定した場合には、ＨＭＤ１００に対してその旨を示す情報を発信する構成としても良い。
【００５５】
ステップＳ４３において、個人情報管理サーバ４０は、適合した表示装置の個体情報と関連付けられた広告絞り込み情報を、アクセスポイント２２を介して広告画像サーバ２０に発信する。
ステップＳ４４において、広告画像サーバ２０は、個人情報管理サーバ４０により発信された広告絞り込み情報にしたがって、ユーザの所望する広告情報を検索し、アクセスポイント２２を介してＨＭＤ１００に対して発信する。なお、検索の際に、ＧＰＳ１１５により取得したＨＭＤ１００の位置を示す情報を加味しても良い。ＨＭＤ１００の位置を示す情報を加味することにより、ユーザの外出先に合わせた広告情報を検索することができる。ＨＭＤ１１８の制御部１１８は、接続部１１４を介してこの広告情報を受信する。
【００５６】
ステップＳ４５において、制御部１１８は、受信した広告情報を示す画像を、表示制御部１１３を介して、表示部１１２に表示する。なお、表示の具体的な方法については第１実施形態と同様である。
また、ステップＳ４５において、受信した広告情報を示す画像を表示部１１２に表示せずに、記憶部１１７に記憶しておき、適当なタイミングで表示する構成としても良い。
【００５７】
ユーザは、最後に、自宅などに帰宅後に広告表示情報の発信を行う。広告表示情報は、広告情報を表示した回数、広告情報を表示した場所、広告情報を表示した時刻などを含む。広告表示情報の発信は、ＨＭＤ１００をインターネットに接続したコンピュータ１０と接続して行う。
ステップＳ５１において、制御部１１８は、広告表示情報をコンピュータ１０を介して表示情報管理サーバ５０に発信する。
【００５８】
表示情報管理サーバ５０に発信された、広告表示情報に基づいて、広告主への課金等の処理が可能となる。また、広告表示情報に基づいて、ユーザの趣味、嗜好などを蓄積して、以降の広告情報の配信に利用しても良い。
以上説明したように、第３実施形態の広告提供システムによれば、ユーザの属性を示す情報と、表示装置の個体情報と、検索条件とを予め取得するとともに、所定の表示装置から発信された前記表示装置の個体情報と予め取得した表示装置の個体情報とが適合するか否かを判定し、適合すると判定した場合に、表示装置の個体情報と関連付けられたユーザの属性を示す情報と検索条件とを、規定情報として情報発信装置に対して発信する管理装置をさらに備える。そして、情報発信装置は、規定情報にしたがって、複数の広告情報のうち、情報発信装置から表示装置に対して発信すべき広告情報を検索し、検索結果にしたがって、表示装置に対して広告情報を発信する。したがって、広告情報そのものを表示装置内に記憶しておかなくても、表示装置を利用するユーザに対して、所望の情報を簡単に配信することができる。特に、ユーザの属性に関する情報を判定に用いて、判定結果に応じて広告情報の配信を行うことができるので、セキュリティー面においても有用である。また、広告情報を表示する際に広告情報を配信するので、常に最新の広告情報を配信することができる。
【００５９】
また、第３実施形態の広告提供システムによれば、情報発信装置は、表示装置の位置を示す情報を取得し、上述した規定情報と取得した表示装置の位置を示す情報とにしたがって、情報発信装置から表示装置に対して発信すべき広告情報を検索する。したがって、ユーザの外出先に合わせた広告情報の取得に適した規定情報を発信することができる。また、広告情報を記憶部に記憶する場合においても、検索された広告情報のみを記憶するため、記憶量を削減することができる。したがって、ユーザの居所などユーザの行動範囲に適合した広告情報を配信することができる。
【００６０】
また、第３実施形態の広告提供システムによれば、表示情報管理装置をさらに備える。そして、表示装置は、広告情報を表示した回数と、広告情報を表示した場所と、広告情報を表示した時刻とを含む表示情報を記憶し、記憶した表示情報を、表示情報管理装置に対して発信する。したがって、この表示情報に基づいて、広告主への課金等の処理をスムーズに行うことができる。
【００６１】
なお、第３実施形態では、ＨＭＤ１００は、アクセスポイント２２を介して各サーバと接続される例を示したが、ＨＭＤ１００が、各サーバと直接接続される構成であっても良い。
また、第３実施形態では、ユーザの属性に関する情報を判定に用いて、判定結果に応じて広告情報の配信を行う例を示したが、図８で説明した広告絞り込み情報の入力時などに個人情報管理サーバ４０からパスワードを発行し、このパスワードを用いて判定を行う構成としても良い。
【００６２】
また、上記各実施形態では、ＧＰＳ１１５により取得したＨＭＤ１００の位置を示す情報に基づいて、検索を行ったり、各種情報を限定する例を示したが、アクセスポイントの位置を示す情報についても同様に利用することができる。
また、上記各実施形態では、表示装置の一例として、ＨＭＤ１００を用いて説明を行ったが、表示装置の構成はこの構成例に限定されない。例えば、両眼に対して画像を表示可能なＨＭＤにも本発明を同様に適用することができる。また、携帯電話、ポータブルゲーム機など、表示機能と情報を送受信する機能とを備えている装置であれば、本発明を同様に適用することができる。
【００６３】
また、上記各実施形態では、広告絞り込み情報の入力を行う際に、接続部１１０を介してＨＭＤ１００を外部のコンピュータ１０と接続する例を示したが、ＨＭＤ１００の情報送信機能を利用して、広告絞り込み情報の入力を直接行う構成としても良い。また、コンピュータ１０と接続する代わりに、専用のコントローラなどの機器と接続する構成としても良い。また、着脱可能な媒体を用いて、設定を行う構成としても良い。
【００６４】
また、上記各実施形態では、広告情報として、画像を用いて説明を行ったが、音声についても同様に本発明を適用することができる。
また、上記各実施形態において、表示部１１２に広告情報を示す画像を表示した後に、その広告情報を記憶部１１７に記憶したままにしても良いし、表示後に消去しても良い。
また、上記各実施形態で説明した技術を組み合わせて実行しても良い。
【図面の簡単な説明】
【００６５】
【図１】第１実施形態のＨＭＤ１００の外観図である。
【図２】第１実施形態のＨＭＤ１００の機能ブロック図である。
【図３】第１実施形態の広告提供システムの全体図である。
【図４】第１実施形態のＨＭＤ１００の使用について説明する図である。
【図５】表示例を示す図である。
【図６】第２実施形態の広告提供システムの全体図である。
【図７】第２実施形態の広告提供システムの全体図である（続き）。
【図８】第３実施形態の広告提供システムの全体図である。
【図９】第３実施形態の広告提供システムの全体図である（続き）。
【図１０】第３実施形態の広告提供システムの全体図である（続き）。
【符号の説明】
【００６６】
１００…ＨＭＤ，１１２…表示部，１１３…表示制御部，１１６…情報受信部，１１８…制御部，２０…広告画像サーバ，２１・２２…アクセスポイント，３０…広告情報サーバ，４０…個人情報管理サーバ，５０…表示情報管理サーバ
【図１】
2007199615.tif 000003
【図２】
2007199615.tif 000004
【図３】
2007199615.tif 000005
【図４】
2007199615.tif 000006
【図５】
2007199615.tif 000007
【図６】
2007199615.tif 000008
【図７】
2007199615.tif 000009
【図８】
2007199615.tif 000010
【図９】
2007199615.tif 000011
【図１０】
2007199615.tif 000012